(57)【要約】      （修正有）【課題】長時間に渡り安定的に、かつ簡易に容易に虹を発生させ、日常生活に潤いをもたらし、夢と季節感を与える虹の投影装置を提供する。【解決手段】木、紙、金属、プラスチック、陶器又はガラスの保持材１の上部に、鉛直から水平９０度に渡る範囲の角度でスリット２を設け、光を通すフィルムの表面をプリズム状に加工したプリズムシート３を縦方向にして太陽光側にプリズム面を向けて差し込み、吸着粘着シート４にて直射光を受ける透明ガラスに吸着させる。プリズムシートは人物、動物、昆虫、植物など全ての生物を模した形状形態、漢字、ひらがな、カタカナなど全ての文字を模した形状形態、または記号を模した形状形態からなるのが好ましい。【選択図】図３
0003192236.tif 000002
【実用新案登録請求の範囲】
【請求項１】
プリズムシートとプリズムシートを保持する機構から成り、保持機構本体を脱着可の吸着粘着シート用をいてガラス面に取り付け、太陽の直射光などを受けて虹を投影させることを特徴とする虹投影装置。
前記プリズムシートとは、光を通すフィルムの表面をプリズム状に加工したものを示す。
【請求項２】
請求項１に記載の虹投影装置において、プリズムシートは人物、動物、昆虫、植物など
全ての生物を模した形状形態からなる虹投影装置。
【請求項３】
請求項１に記載の虹投影装置において、プリズムシートは漢字、ひらがな、カタカナなど全ての文字を模した形状形態からなる虹投影装置。
【請求項４】
請求項１に記載の虹投影装置において、プリズムシートは全ての記号を模した形状形態からなる虹投影装置。
【請求項５】
請求項１に記載の虹投影装置において、プリズムシートは森羅万象を模した形状形態からなる虹投影装置。
【請求項６】
請求項１，請求項２，請求項３，請求項４及び請求項５に記載の虹投影装置において、紙、布、シートなどによる切り絵を貼る事からなる虹投影装置。
【請求項７】
請求項１に記載の虹投影装置において、プリズムシートを保持する保持材は木、硬質紙、金属、プラスチック、陶器、及びガラスからなり、且つ、機構の形状形態は正方形、長方形、三角形、台形、円形、角柱、円柱及びそれらの複合した幾何形態などからなる虹投影装置。
【請求項８】
請求項１、請求項２，請求項３，請求項４，請求項５，請求項６及び請求項７に記載の虹投影装置において、プリズムシートを保持する保持材は、プリズムシートを差し込む１又は複数のスリットを持ち、その角度は鉛直から水平９０度までの複数の角度からなる虹投影装置。
【請求項９】
請求項１、請求項２，請求項３，請求項４，請求項５，請求項６，請求項７及び請求項８に記載の虹投影装置において、プリズムシートを保持する機構本体をガラス面に脱着可とするための素材として、吸着粘着シート、両面テープ、及び吸盤シートなどからなる虹投影装置。
【考案の詳細な説明】
【技術分野】
【０００１】
本考案は、プリズムシートと保持材及び吸着粘着シートからなる虹の投影装置に関する。
【背景技術】
【０００２】
プリズムシートは極小プリズムの集積板であり、一定の方向性を与えて直射日光を透過させると虹が発生することは周知されている。
【先行技術文献】
【特許文献】
【０００３】
【特許文献１】特開平  ０６-２６２１１０号公報
【特許文献２】特開平  １１-２００３１４号公報
【特許文献３】特開２０００-３３４３４５号公報
【特許文献４】特開２００１-１９９２００号公報
【特許文献５】特開２００４-１５７１９７号公報
【特許文献６】特開２００６-１６２９１３号公報
【特許文献７】特開２００６-２８５２８５号公報
【０００４】
【特許文献８】実開平    ０６-５４０２５号公報
【考案の概要】
【考案が解決しようとする課題】
【０００５】
自然の太陽光を利用した従来の虹発生装置には、水を噴霧して発生させる装置、液体と鏡を用いて発生させる容器、三角形のプリズムと白色光源を用いて発生させる装置、水晶体と風力を利用して発生させる装置など、機構が複雑なものや装置本体が大規模なものはあるが、小規模で簡易に虹を発生させる装置は考案されていない。
確かに、プリズムシートや三角形プリズムは、太陽光に当てると虹を発生することは習知のことである。しかしながら、手に保持したのみでは、長時間に渡って安定的に虹を発生させることは困難であり、且つ、インテリアとして客観的に眺めて楽しむことも出来にくい欠点がある。
【課題を解決するための手段】
【０００６】
（１）プリズムシートとプリズムシートを保持する機構から成り、保持機構本体を脱着可の吸着粘着シート用をいてガラス面に取り付け、太陽の直射光などを受けて虹を投影させることを特徴とする。
前記プリズムシートとは、光を通すフィルムの表面をプリズム状に加工したものを示す。
（２）プリズムシートは人物、動物、昆虫、植物など、全ての生物を模したものからなる。
（３）プリズムシートは漢字、ひらがな、カタカナなど、全ての文字を模したものからなる。
（４）プリズムシートは全ての記号を模したものからなる。
（５）プリズムシートは森羅万象を模したものからなる。
（６）プリズムシートに紙、布、シートなどの切り絵を貼る事からなる。
（７）プリズムシートを保持する保持材は木、硬質紙、金属、プラスチック、陶器、及びガラスからなり、且つ、機構の形状形態は正方形、長方形、三角形、台形、円形、角柱、円柱及びそれらの複合した幾何形態などからなる。
（８）プリズムシートを保持する保持材は、プリズムシートを差し込む１又は複数のスリットを持ち、角度は鉛直から９０度までからなる。
（９）プリズムシートを保持する保持材本体をガラス面に脱着可とするための素材として、吸着粘着シート、両面テープ、及び吸盤シートなどからなる。
【考案の効果】
【０００７】
本考案に関わる虹投影装置は、プリズムシートによる虹発生の造形物として、ガラス面設置の保持材が木や硬質紙や金属などの簡単で容易に取得可能な材料によって製作でき、実用性に優れたものである。
【図面の簡単な説明】
【０００８】
【図１】本考案に係わる虹投影装置の一部を構成する保持材の平行投影図である
【図２】本考案に係わる虹投影装置の製造における工程を示した平行投影図である。
【図３】本考案に係わる虹投影装置の平行投影図である。
【考案を実施するための形態】
【０００９】
図1に示すように、市販の木片、硬質紙などの保持材１の上部に斜めにスリット２を設ける。次に、図２に示すように、プリズムシート３を縦方向にしたプリズム面を太陽側に向け、直射日光を全面に受ける形で保持材1のスリットに差し込む。
さらに、吸着粘着シート４の粘着側を保持材1に接着し固定する。
これにより、図3に示すように、吸着粘着シート４の吸着面のみが残り、透明ガラスに脱
着可能にて固定できる。
【００１０】
保持材１の材質は、木、硬質紙、金属、プラスチック、ガラス及び陶器からなる。さらに、保持材１の形状形態は、正方形、長方形、三角形、台形、円形、角柱、円柱、及びそれらの複合した幾何学形態からなる。
【００１１】
スリット２の角度は、鉛直から水平９０度の範囲内に位置し、１個又は複数個設置する。
【００１２】
プリズムシート３の形状形態は、人物、動物、昆虫、植物など、全ての生物を模したもの。及び、漢字、ひらがな、カタカナなどの全ての文字、全ての記号を模したもの。且つ、総体として森羅万象を模したものからなる。さらには、紙、布、シートなどによる切り絵を貼るものからなる。
【００１３】
吸着粘着シート４は、プリズムシート３を保持する機構本体をガラス面に脱着可とするもの。材質は樹脂製の吸着粘着シート、両面テープ、吸盤及び吸盤シートからなる。
【００１４】
上記工程により完成した本考案の虹投影装置は、直射日光を受ける透明ガラスに吸着することで、虹発生の現象を生じる。この現象は、時間の推移や四季の移り変わりに伴い、虹の発生と虹投影位置が変化し、使用者は現代の日常生活で忘れがちな季節感を楽しみながら取り戻すことが出来る。
【符号の説明】
【００１５】
１  保持材
２  斜めスリット
３  プリズムシート
４  吸着粘着シート
【図１】
0003192236.tif 000003
【図２】
0003192236.tif 000004
【図３】
0003192236.tif 000005
【手続補正書】
【提出日】平成26年6月4日(2014.6.4)
【手続補正１】
【補正対象書類名】実用新案登録請求の範囲
【補正対象項目名】全文
【補正方法】変更
【補正の内容】
【実用新案登録請求の範囲】
【請求項１】
光を通すフィルムの表面をプリズム状に加工したプリズムシートとプリズムシートを
保持する機構から成り、保持機構本体を脱着可の吸着粘着シートを用いてガラス面に取り付け、太陽の直射光などを受けて虹を投影させることを特徴とする虹投影装置。
【請求項２】
請求項１に記載の虹投影装置において、プリズムシートは人物、動物、昆虫、植物な
ど生物を模した形状形態からなる虹投影装置。
【請求項３】
請求項１に記載の虹投影装置において、プリズムシートは漢字、ひらがな、カタカナ、数字など文字を模した形状形態からなる虹投影装置。
【請求項４】
請求項１に記載の虹投影装置において、プリズムシートは記号を模した形状形態から なる虹投影装置。
【請求項５】
請求項１に記載の虹投影装置において、プリズムシートは森羅万象を模した形状形態
からなる虹投影装置。
【請求項６】
請求項１〜５のいずれか一項に記載の虹投影装置において、紙、布、又はシートなど
による切り絵を貼る事からなる虹投影装置。
【請求項７】
請求項１〜６のいずれか一項に記載の虹投影装置において、プリズムシートを保持す
る保持材は木、硬質紙、金属、プラスチック、陶器、又はガラスからなり、且つ、機構
の形状形態は正方形、長方形、三角形、台形、円形、角柱、円柱、又はそれらの複合し
た幾何形態からなる虹投影装置。
【請求項８】
請求項１〜７のいずれか一項に記載の虹投影装置において、プリズムシートを保持す
る保持材は、プリズムシートを差し込む１又は複数のスリットを持ち、その角度は鉛直
から水平９０度までの複数の角度からなる虹投影装置。
【請求項９】
請求項１〜８のいずれか一項に記載の虹投影装置において、プリズムシートを保持す
る機構本体をガラス面に脱着可とするための素材が、吸着粘着シート、両面テープ、又
は吸盤シートである虹投影装置。